(57)【特許請求の範囲】
【請求項１】
複数の電気スイッチコンタクト（４）を受容するためのスイッチチャンバ（３）を形成するハウジング（２）と、カバー（２０）によって閉じることのできる前記スイッチチャンバ（３０）への開口部（５）と、を有する、電気スイッチ要素（１）のための構成であって、
前記カバー（２０）が少なくとも１つのポジティブロック要素（２３）を有し、
前記ハウジング（２）が、前記開口部（５）の周りに少なくとも部分的に延在する少なくとも１つのポジティブロック対合要素（７）を有し、
前記ポジティブロック要素（２３）および前記ポジティブロック対合要素（７）は、前記開口部（５）の平面内で互いと係合し、
前記ポジティブロック要素（２３）には、自由端（２３ａ）において、少なくとも部分的に周縁にあるビード（２３ｂ）が設けられ、
前記ビード（２３ｂ）が、リブ輪郭部（２３ｅ）によって前記カバー（２０）に接続され、
半径方向の間隔が、前記リブ輪郭部（２３ｅ）の部分において、前記少なくとも１つのポジティブロック要素（２３）と前記少なくとも１つのポジティブロック対合要素（７）との間に設けられる、
ことを特徴とする、電気スイッチ要素（１）のための構成。
【請求項２】
前記少なくとも１つのポジティブロック要素（２３）および前記少なくとも１つのポジティブロック対合要素（７）が、前記開口部（５）の平面または支持面（１３）に対して実質的に垂直方向に重なり合うことを特徴とする、請求項１に記載の電気スイッチ要素（１）のための構成。
【請求項３】
前記少なくとも１つのポジティブロック要素（２３）および／または前記少なくとも１つのポジティブロック対合要素（７）が、前記開口部（５）の周りの全体に延在することを特徴とする、請求項１または２に記載の電気スイッチ要素（１）のための構成。
【請求項４】
前記少なくとも１つのポジティブロック要素（２３）が、前記カバー（２０）の外側縁部（２２）によって少なくとも部分的に終端するように形成されることを特徴とする、請求項１から３のいずれか一項に記載の電気スイッチ要素（１）のための構成。
【請求項５】
前記ポジティブロック要素（２３）が、前記カバー（２０）によって形成されたカバー領域（２１）から実質的に垂直方向に離れるように延在する封止リップとして構成されていることを特徴とする、請求項１から４のいずれか一項に記載の電気スイッチ要素（１）のための構成。
【請求項６】
前記少なくとも１つのポジティブロック対合要素（７）が、縁部（６）の周りに間隔を置いて延在する凹部として形成されることを特徴とする、請求項１から５のいずれか一項に記載の電気スイッチ要素（１）のための構成。
【請求項７】
前記開口部（５）の開口部平面に対して実質的に横断方向に、前記少なくとも１つのポジティブロック要素（２３）および／または前記少なくとも１つのポジティブロック対合要素（７）を越えて突出する、少なくとも１つの案内要素（２４、２５、２５’）によって特徴付けられる、請求項１から６のいずれか一項に記載の電気スイッチ要素（１）のための構成。
【請求項８】
前記ポジティブロック要素（２３）および前記ポジティブロック対合要素（７）によって囲まれた領域の外側において丸みを帯びた角部（８）の領域外に配置される補助固定手段（１１）によって特徴付けられる、請求項１から７のいずれか一項に記載の電気スイッチ要素（１）のための構成。
【請求項９】
前記カバー（２０）上に配置されかつコンタクトブリッジキャリア（３０）の保持部材（３５ａ）、保持部材（３５ｂ）と係合している案内要素（２５ｂ）によって特徴付けられる、請求項１から８のいずれか一項に記載の電気スイッチ要素（１）のための構成。
【発明の詳細な説明】
【技術分野】
【０００１】
本発明は、電気スイッチ要素のための構成に関する。この電気スイッチ要素は、電気スイッチコンタクトを受容するためのスイッチチャンバを形成するハウジングと、カバーによって閉じることのできるスイッチチャンバへの開口部と、を有する。
【背景技術】
【０００２】
たとえばリレーまたは接触器などの電気スイッチ要素は、従来技術から標準的な構成要素として知られており、電気工学において長い間使用されてきている。スイッチコンタクトが開かれているとき、特に高い電流強度の事象において、コンタクト同士の間に電気アークが形成される場合がある。電気アークの形成は問題である。その理由の一つとしては、電気アークが伝導チャネルを構成し、この結果、電気アークが存在する限りそのスイッチコンタクトによって閉じられている電気回路を遮断することができないからである。また他方で、電気アークの形成は、電気アークの高温のプラズマにより、電気スイッチ要素の構成要素が、スイッチチャンバの内部およびスイッチチャンバの外部の両方において損傷する可能性があるので、問題である。
【０００３】
スイッチチャンバ内に存在する内部圧力または過剰圧力を維持し、このことにより電気アークをその直径に関して限定することによって、この損傷を防止することが意図される。結果として、電気アークを大気圧下におけるよりも良好に案内し、消滅させることができる。その封止は、数千度の温度を有する電気アークのプラズマが、スイッチチャンバの外側に達せず、その位置にあるスイッチ要素の構成要素またはその周囲を損傷する可能性がないという利点をさらに有する。
【０００４】
中に配置される固定されたコンタクトを有する基部部材またはハウジング、および固定されたコンタクトに対向するハウジングの側部に配置されるカバーによって実質的に形成される、知られている圧密なスイッチコンタクトチャンバが存在する。カバーをハウジングに関して封止するために、２つの可能な選択肢が知られている。一方では、ハウジングおよびカバーは、部分的に金属被覆された、接続輪郭部（connection contours）を有し得る。次いでこのカバーを、はんだ接続によって封止するようにして、ハウジングに接続することができる。この例では、少なくともハウジングは、一般にセラミック材料によって形成される。別法として、ハウジングおよびカバーを、スイッチ要素の組立中に、これらを含む全体的なシステム内に完全に鋳造することもできる。
【０００５】
知られている封止の可能な選択肢には、スイッチ要素の製造および組立に加えて、これらが、たとえば、少なくとも部分的な金属めっきおよびそれに続くはんだ付けの工程、または比較的大きな量の鋳塊を必要とする追加の鋳造工程などの、複雑な追加の工程を必要とするという問題が含まれる。結果として、知られているスイッチチャンバ封止のための可能な選択肢は、製造に関して複雑であるとともに、高いコストを含む。
【発明の概要】
【発明が解決しようとする課題】
【０００６】
結果として、本発明の目的は、できる限り単純かつ安定した方法で封止可能であるスイッチチャンバを有する電気スイッチ要素を提供することである。
【課題を解決するための手段】
【０００７】
この目的は、カバーが少なくとも１つのポジティブロック要素を有し、かつ、ハウジングが、開口部の周りに少なくとも部分的に延在する少なくとも１つのポジティブロック対合要素（positive-locking counter element）を有するという形で、本発明により達成される。ポジティブロック要素およびポジティブロック対合要素は、スイッチチャンバを封止するために、開口部の開口部平面（opening plane）の高さにおいて互いと係合する。結果として、特に電気アークの形成がもたらす圧力ショックを機械的に吸収することができるか、またはカバーとハウジングとの間の相対移動を防止することができる。少なくとも１つのポジティブロック要素を、ポジティブロック対合要素を少なくとも部分的に補完するように構成することができる。組み立てられた状態では、カバーおよびハウジングは、結果として安定したユニットを形成することができる。
【０００８】
ポジティブロック要素およびポジティブロック対合要素は、開口部の周りの全体にまたは開口部の周りの一部に、延在し得る。開口部を、たとえば一部のみ囲むことを意図する場合、ポジティブロック対合要素を、スイッチチャンバの側方凹部（この例では「補助案内手段」と呼ばれる）の中に導入し、これによって中断することができる。カバー上のポジティブロック要素も、この位置で中断することができ、これはカバー上の案内要素の中に導入されることになる。ハウジングにおける補助案内手段の開口部の中に突出するこれらの案内要素は、次いで適切に形状形成されることにより、この領域において封止機能を実行することができる。ポジティブロック要素およびポジティブロック対合要素のこの部分的な構成の利点は、この領域において開口部を完全に囲むための膨出部を不要にすることができ、これにより構造上の空間が節約されることである。
【０００９】
本発明による解決法を、それら自体有利である以下の追加の実施形態と自由に組み合わせて、さらに改善することができる。
【００１０】
少なくとも１つのポジティブロック要素および少なくとも１つのポジティブロック対合要素は、開口部の中心位置から半径方向に離れる少なくとも２つの方向で重なり合うことができるか、あるいは、開口部の平面または支持面に対して実質的に垂直方向に重なり合うことができる。少なくとも１つのポジティブロック要素および少なくとも１つのポジティブロック対合要素は、こうして開口部に対合することができるか、またはこれらを開口部の周りに星の形態に配置して、開口部の領域においてハウジングの壁に対してスイッチチャンバの内側から半径方向外向きの方向に作用する力を吸収し、これらを、ある意味開口部をその幅に関して固定する、カバーの中へと向けるようにすることができる。
【００１１】
少なくとも１つのポジティブロック要素および／または少なくとも１つのポジティブロック対合要素は、開口部の周りの全体に、開口部の縁部から間隔を置いて延在し得る。ポジティブロック要素およびポジティブロック対合要素はこうして、半径方向において開口部平面の開口部の周りにぴったりと重なり合い、ハウジングとカバーとの間の密閉封止および力の伝達をもたらすことができる。
【００１２】
少なくとも１つのポジティブロック要素および少なくとも１つのポジティブロック対合要素は、開口部平面内に、丸形の、卵型の、および／または丸みを帯びた角部を有する多角形の断面を有し得る。カバーまたはハウジングに対して作用する切れ目を生じさせる力を、こうして最小限にすることができる。加えて、ポジティブロック要素およびポジティブロック対合要素によって囲まれる領域の外側で、カバーをハウジングに接続するために、ハウジングの壁に固定要素を配置することができる。ポジティブロック要素およびポジティブロック対合要素によって囲まれる領域の外側の、丸みを帯びた形状構成によりハウジング上に作り出される構造上の空間において、固定要素を、ハウジング上のこの領域内に、省スペースで配置することができる。ポジティブロック要素およびポジティブロック対合要素のそのような丸みを帯びた形状構成により、閉鎖状態において、ハウジングと当接しているカバーにより支持領域を提供する可能性ももたらし得る。
結果として、支持領域においてカバー上に軸方向に作用する力を、ポジティブロック要素またはポジティブロック対合要素に荷重を加えることなくハウジングに直接伝達することができ、結果としてこれらの要素は、カバー上に半径方向に作用する力のみを吸収すればよい。
【００１３】
少なくとも１つのポジティブロック要素を、カバーの外側縁部によって少なくとも部分的に終端するように形成することができる。ポジティブロック要素はそれ自体、カバーの周縁部を形成することができる。結果として、ポジティブロック要素またはそこから放射方向に離れて延在する要素を、アンダーカット部分なしで形成することができ、このことにより、たとえば、チャンバカバーを作製するための成形工具を単純化することができる。
【００１４】
ポジティブロック要素を、カバーによって形成されるカバー領域から実質的に垂直方向に離れるように延在する、封止リップとして構成することができる。封止リップはしたがって、実質的に軸方向に延在し、これに対合して、カバーがハウジング上に設置される。封止リップは、ハウジングの外側領域の周りに係合することができ、この外側領域は結果としてポジティブロック対合要素を形成する。別法として、封止リップとして形成されるポジティブロック要素は、ハウジングにおけるくぼみまたは凹部として形成されるポジティブロック対合要素内に係合することができ、この凹部は、縁部の周りに間隔を置いて延在することができる。
【００１５】
封止リップとして構成されるポジティブロック要素には、自由端において、少なくとも部分的に周縁にあるビードを設けることができる。ポジティブロック要素またはカバー縁部に取り付けられるビードを、上述したように、アンダーカット部分が何もない状態で形成することができる。ビードは、ポジティブロック対合要素の中へのポジティブロック要素の導入を容易にする、傾斜した導入部材（inclined introduction member）を有することができる。ビードは、ポジティブロック要素の自由端から離れるように面を向ける終端縁部をさらに形成し得る。
【００１６】
ビードを、狭いリップ輪郭部によってカバーに接続することができる。結果として、ポジティブロック要素の弾性が増し、また、ポジティブロック要素とポジティブロック対合要素との間の許容差に関連する位置の差異を、容易に補償することができる。
【００１７】
少なくとも１つのポジティブロック対合要素を、溝として形成することができる。結果として、そのポジティブロック対合要素は、封止リップとして構成されたポジティブロック要素を、単純な様式で特に受容することができる。
【００１８】
補助固定手段を、ポジティブロック要素およびポジティブロック対合要素によって囲まれた領域の外側で丸みを帯びた角部の領域内に配置することができる。
【００１９】
カバー上に配置される案内要素は、コンタクトブリッジキャリアの保持部材と係合していてよい。
【００２０】
少なくとも１つのポジティブロック要素と少なくとも１つのポジティブロック対合要素との間に、半径方向の間隔を、少なくとも部分的に設けることができる。半径方向の間隔を、封止体などのための受容空間として使用することができる。半径方向の間隔は、軸方向に、たとえば少なくとも１つのポジティブロック要素および／または少なくとも１つのポジティブロック対合要素の高さの約半分まで、延在し得る。この高さは、開口部平面に対して実質的に横断方向で測定される。結果として、鋳塊または接着剤を、ポジティブロック要素とポジティブロック対合要素との間に形成された受容空間または封止溝の中に、単純な方法で導入することができる。そのような実施形態では、ビードを不要にすることも可能であるが、ただし、ビードは、鋳体の必要な接着間隙を確保するために有利である場合がある。
【００２１】
開口部平面に対して実質的に横断方向に、少なくとも１つのポジティブロック要素および／または少なくとも１つのポジティブロック対合要素を越えて突出する、少なくとも１つの案内要素を設けることができる。結果として、補助組立手段として働く案内要素は、基部部材に対するカバーの事前位置決めをもたらすことができ、このことにより、ハウジング上でのカバーの組立を単純化することができる。そのような案内要素は、その開口部に面する側でスイッチチャンバの中に突出し、ここにおいて、可動のスイッチコンタクトのコンタクトブリッジ保持部材のための軸受けおよび／または回転防止要素として働くことができる。
【００２２】
さらに、カバーをハウジングに固定するために、スイッチチャンバとスイッチ要素の駆動システムとの間で、固定要素を使用することができる。この目的のために、固定要素は、たとえば、補助固定手段内に係合し、カバーをハウジングと駆動システムとの間に固定することができる。補助固定手段は、たとえばハウジングにおける凹部またはシャフトの形態である。固定要素を、駆動システムのパンチング／屈曲された構成要素上に形成されかつハウジングにおける補助固定手段の中に突出する、一種のフランジ、ピン、および／またはペグとして構成することができる。これらの固定要素および補助固定手段を使用して、いわゆる「貫入」または「押し込み」によって接続部を作り出すことができる。カバーは結果として、駆動システムのパンチング／屈曲された構成要素に対して当接することができ、このことにより、駆動システムをハウジング上に固定することによって、チャンバカバーをハウジングまたは基部部材上に押圧する。
結果として、たとえば、コンタクト同士を閉じるまたは開くときのスイッチ力、または実質的に軸方向に作用する消滅中の電気アークの炸裂力などの、任意の軸方向の力を、ポジティブロック要素およびポジティブロック対合要素に荷重を受けさせることなく、ハウジングから駆動システムのパンチング／屈曲された構成要素へと、直接伝達することができる。
【００２３】
さらに、カバーを、固定要素および補助固定手段によって形成された固定位置の領域内に位置付ける必要がない。この場合、この領域内の駆動システムの露出したパンチング／屈曲された構成要素は、それらの固有の弾性により、固定動作において予張をもたらすことができ、このことにより、ハウジングに対してチャンバカバーを連続して押圧することが保証され得る。
【００２４】
セラミック材料を含む先行技術にて公知のハウジングと特に比較すると、カバーおよび／またはハウジングを、本発明により、単純で結果的に費用対効果の高い方法で製造可能な、射出成形された構成要素として構成することができる。
【００２５】
本発明について以下で、可能な実施形態を参照して、また付属の図面を参照して、例示により記載する。これらの実施形態において例示する特徴の組合せは、単に例示の目的に役立つに過ぎない。それぞれの特徴の利点が特定の用途に関連していなければ、個々の特徴を、それらの上記の利点に従って省略することもできる。
【図面の簡単な説明】
【００２６】
【図１】本発明により構成される、電気スイッチ要素用ハウジングの概略斜視図である。
【図２】図１に例示するハウジングの概略平面図である。
【図３】図１および図２に示すハウジングのための、本発明により構成されたカバーの概略斜視図である。
【図４】図２に示す断面の線Ａ−Ａに沿った、図３に示すカバーを有する図１および図２に示すハウジングの概略断面斜視図である。
【図５】図２に示す断面の線Ｂ−Ｂに沿った、カバーを有する図４に示すハウジングの概略断面斜視図である。
【図６】本発明によるハウジングのポジティブロック対合要素内に係合する、本発明によるカバーのポジティブロック要素の概略断面図である。
【図７】図２に示す断面の線Ｃ−Ｃに沿った、カバーが取り付けられた図４から図６に示すハウジングの概略斜視切断図、およびカバーを押し下げるスイッチ要素の駆動システムの一部分における概略斜視切断図である。
【図８】図７に例示するスイッチ要素の細部の、概略側面図である。
【発明を実施するための形態】
【００２７】
本発明をまず、図１を参照して説明する。図１は、ハウジング２の概略斜視図である。ハウジング２は、本発明により構成されかつ電気スイッチ要素１のために提供される。ハウジング２は、中に複数の電気スイッチコンタクト４が配置される、スイッチチャンバ３を形成する。スイッチチャンバ３には、開口部５を介してアクセス可能である。本実施形態では、ハウジング２は、また結果としてスイッチコンタクトチャンバ３も、ともにデカルト座標系を規定する長手方向Ｘ、横断方向Ｙ、および垂直方向Ｚに延在する。垂直方向Ｚと実質的に平行に、スイッチ要素１の、また結果的にハウジング２のものでもある、長手軸Ｌが延在する。この軸は、垂直方向Ｚにおいて実質的に開口部５または開口部の縁部６の高さに延在する開口部平面の、中心位置Ｍを通って延在する。スイッチ要素１またはハウジング２の軸方向Ａは、垂直方向Ｚと実質的に平行に延在する。対合コンタクト（ここではまだ図示しない）がスイッチコンタクト４と１つに接合される方向である、スイッチ要素１のスイッチ方向Ｓは、実質的に垂直方向Ｚの反対方向に延びる。
【００２８】
溝（groove）または溝路（channel）の形態のポジティブロック対合要素７が、開口部５を囲む。ポジティブロック対合要素７は、開口部５の中心位置Ｍの高さに長手方向Ｘおよび横断方向Ｙによって画定される開口部平面内に、実質的に延在する。垂直方向Ｚに沿った突出部において、ポジティブロック対合要素７は、丸みを帯びた角部８を有する、実質的に多角形の輪郭または多角形の断面を有する。結果として、ハウジング２の正面側９において、ポジティブロック対合要素７の輪郭の外側に位置するハウジングの角部１０の領域内に、補助固定手段１１を配置するための十分な自由面が設けられる。補助固定手段１１は、垂直方向Ｚと実質的に平行に延在しかつ固定要素（ここではまだ図示しない）を受容する役割を果たすシャフトとして構成される。この固定要素により、たとえば、駆動システムの構成要素（ここではまだ図示しない）をハウジング２に固定することができ、この構成要素は、そこに取り付けられるカバー（ここではまだ図示しない）を押し下げることができる。
【００２９】
実質的に長手方向Ｘに延在するハウジング２の長手側の領域において、ポジティブロック対合要素７の輪郭部に、複数の膨出部（protuberances）１２が形成される。膨出部１２の領域において、ポジティブロック対合要素７の輪郭内に、ハウジング２上に設置されるカバーが当接可能な支持面１３が形成される。膨出部１２の領域において、シャフト状の補助案内手段１４がさらに形成される。補助案内手段１４は、垂直方向Ｚと実質的に平行に延在し、かつ、スロット状の通路１５を有する。この通路１５も、垂直方向Ｚと実質的に平行にスイッチチャンバ３に向かう方向に延在する。
さらに、ハウジングの壁１６が、開口部５の下方で、垂直方向Ｚにおいてスイッチチャンバ３を囲む。垂直方向Ｚの反対方向において、ハウジング２の基部１７によって、スイッチチャンバ３の境界が定められる。
【００３０】
図２は、スイッチ要素のハウジング２の概略平面図である。ここでは、ポジティブロック対合要素７の丸みを帯びた輪郭が、特に明瞭である。加えて、スイッチ要素１の、ならびに結果的にハウジング２およびそのスイッチチャンバ３の、半径方向Ｒが、どのように中心軸Ｌまたは中心位置Ｍから半径方向に離れるように延在するかが示される。
【００３１】
図３は、スイッチ要素１のハウジング２のための、本発明により構成されたカバー２０の概略斜視図である。カバー２０は、開口部５を閉じるための、カバー領域または蓋２１を有する。カバーの外側縁部２２のところに、カバー領域２１を囲むポジティブロック要素２３が、封止リップの形態で形成される。この封止リップは、カバー領域２１の周りに延在し、また、カバー領域２１から実質的に垂直方向Ｚに離れるように延在するかまたはそこから突出し、外側縁部２２と面一な様式で終端し、垂直方向Ｚまたは軸方向Ａに突出する形で、ポジティブロック対合要素７の輪郭に実質的に対応する輪郭または断面を有する。
【００３２】
ポジティブロック要素２３によって囲まれるカバー領域２１の形態で、案内要素２４がさらに配置される。この案内要素２４は、実質的に垂直方向Ｚの反対方向に、すなわちカバー領域２１から垂直方向に離れるように延在し、また、ハウジングの補助案内手段１４内に係合するように構成される。垂直方向Ｚと平行に測定された案内要素２４の高さは、垂直方向Ｚと平行に測定されるポジティブロック要素の高さよりも高い。すなわち、案内要素２４は、カバー領域２１からポジティブロック要素２３よりもさらに突出する。結果として、案内要素２４は、カバー２０がハウジング２上に設置されるときに、ポジティブロック要素２３がポジティブロック対合要素７と１つに接合される前に、補助案内手段１４内に係合する。案内要素２４はこうして、スイッチ要素１を組み立てるときに、迅速，単純，かつ精確にカバー２０をハウジングと１つに接合する助けとなり、またこのことにより、ポジティブロック要素２３がポジティブロック対合要素７と係合される。
【００３３】
カバー領域２１上に、追加の案内要素２５，２５’がさらに配置される。案内要素２５，２５’も、カバー領域２１から垂直方向Ｚの反対方向に離れるように延在し、かつ垂直方向Ｚの反対方向にポジティブロック要素２３および案内要素２４を越えて突出する。案内要素２５’の第２の実施形態は、案内要素２５の第１の実施形態よりも大きい横断方向Ｙで測定された幅を有する。この場合、追加の案内要素２５および追加の案内要素２５’の非対称性が生み出され、この非対称性を使用して、ハウジング２に対するカバー２０の正しい配向を規定することまたはコード化することができる。さらに、追加の案内要素２５，２５’は、枠２６に組み込まれるか、またはこれによって支持される。枠２６は、カバーにおける円形開口部状の通路２７を囲む。対合コンタクトを駆動させるために、作動部材（ここではまだ図示しない）が通路２７を通して案内および移動され得る。
【００３４】
図４は、図２に描かれた断面の線Ａ−Ａに沿った、スイッチ要素１の概略断面斜視図である。カバー２０は、軸方向Ａの反対方向に、ハウジング２上に設置される。カバー２０上のポジティブロック要素２３は、ハウジング２上のポジティブロック対合要素７内に係合する。結果として、ハウジング２の開口部５は閉じられ、また、スイッチチャンバ３の軸方向Ａにおける境界が、カバー２０のカバー領域２１によって定められる。
【００３５】
スイッチコンタクト・サブアセンブリ３０は、スイッチチャンバ３内に配置される。スイッチコンタクト・サブアセンブリ３０は、スイッチコンタクトキャリア３１を備える。スイッチコンタクトキャリア３１は、スイッチ対合コンタクト３４を各々担持する２つのスイッチコンタクト腕部３３ａ，３３ｂを有する。
スイッチ対合コンタクト３４は、スイッチ方向Ｓにおいてスイッチコンタクト４に対合するように配置される。図４に示すスイッチ要素１の開放状態Ｏにおいて、スイッチ対合コンタクト３４は、スイッチコンタクト４から間隔を置いて保持される。閉鎖状態Ｃ（図示せず）において、スイッチ対合コンタクト３４は、スイッチコンタクト４と導電的に接触している。この目的のために、スイッチコンタクトブリッジ３１を、スイッチ方向Ｓに降下させる。
【００３６】
コンタクトブリッジキャリア３５は、弾性要素３６を介してコンタクトブリッジキャリア３５の固定用基部３７上でスイッチ方向Ｓの反対方向に支持されるスイッチコンタクトブリッジ３１を担持し、この結果、スイッチコンタクトブリッジ３０は、コンタクトブリッジキャリア３５上でスイッチ方向Ｓの反対方向に弾性支持される。
固定用基部３７に、作動部材３８が固定される。作動部材３８は、環状鍔部３９またはフランジを介してコンタクトブリッジキャリア３５上でスイッチ方向Ｓに支持される。また、作動部材３８は、ハウジングカバー２０における通路２７を通って突出するシャフト３２を有する。このシャフト３２を介して、実質的にスイッチ方向Ｓに及んでスイッチ対合コンタクト３４をスイッチコンタクト４と接触させるスイッチ力ＦＳを、スイッチコンタクトキャリア３１に伝達することができる。
【００３７】
図５は、図２に例示する断面の線Ｂ−Ｂに沿った、スイッチ要素１の概略断面図である。図５では、カバー２０がハウジング２上に設置され、スイッチコンタクト・サブアセンブリ３０がスイッチチャンバ３内に位置付けられた状態の、スイッチ要素１を示している。
２つの保持部材、すなわち３５ａ，３５ｂは、コンタクトブリッジキャリア３５の固定用基部３７から実質的に垂直方向に離れるように延在する。すなわち、保持部材は、スイッチ方向Ｓと実質的に平行に延在し、案内要素２５によって、横断方向Ｙの反対方向にまたは横断方向Ｙに案内される。複数の案内要素２５は、第１の案内面２５ａおよび第２の案内面２５ｂを各々形成する。第１の案内面２５ａは、ハウジング２の壁１６に面する。第２の案内面２５ｂは、スイッチコンタクト・サブアセンブリ３０の保持部材３５ａまたは保持部材３５ｂに面する。結果として、案内要素２５，２５’は、二重の機能を実行する。つまり、案内要素２５，２５’は、一方では、カバー２０をハウジング２の壁１６上で横断方向Ｙにまたはその反対方向において支持する。また、他方では、案内要素２５，２５’は、スイッチコンタクト・サブアセンブリ３０のコンタクトブリッジキャリア３５をスイッチ方向Ｓと実質的に平行に案内する。
【００３８】
図６は、ポジティブロック対合要素７の中に挿入されるポジティブロック要素２３の概略断面斜視図である。これは、軸方向Ａまたは垂直方向Ｚの反対方向に向けられたポジティブロック要素２３の自由端２３ａのところに、ビード２３ｂが形成されることを示す。ビード２３ｂは、傾斜した導入部材２３ｃと、自由端２３ａから離れる方向に向けられる終端縁部とを有するか、または形成する。ビード２３ｂは、横断方向Ｙで測定されたビード２３ｂの幅と比較してより狭いリブ輪郭部２３ｅによって、カバー２０に接続される。ビード２３ｂをこうして、弾性的に長手方向Ｘおよび横断方向Ｙの反対方向に向け直すことができる。
【００３９】
自由端２３ａは、ポジティブロック対合要素７の基部７ａから垂直方向Ｚにまたは軸方向Ａに間隔を置いて配置される。ポジティブロック要素７の側壁７ｂは、これらが、上側部分７ｃにおいてはポジティブロック要素２３から離間され、下側部分７ｄにおいてはポジティブロック要素２３または特にそのビード２３ｂと実質的に当接するように構成される。結果として、上側部分７ｃには、上側自由空間１８または受容空間が存在する。上側自由空間１８または受容空間では、ポジティブロック要素２３がポジティブロック対合要素７から半径方向Ｒにおいて離間される。ポジティブロック要素２３の自由端２３ａの下方には、ポジティブロック要素２３とポジティブロック対合要素７との間に、下側自由空間１９または受容空間が形成される。自由空間１８および自由空間１９は、たとえば、封止体もしくは封止材料、および／または接着体もしくは接着材料を受容し得る。
【００４０】
軸方向Ａまたは垂直方向Ｚで測定された上側部分７ｃの高さは、軸方向Ａまたは垂直方向Ｚで測定された下側部分７ｄの高さに実質的に相当し得る。結果として、下側部分７ｄにおいて、ポジティブロック要素２３とポジティブロック対合要素７との間のポジティブロック接続および／または非ポジティブロック接続が存在し得る。ポジティブなおよび／または非ポジティブな接続を、自由空間１８および自由空間１９内に位置付けられた接着剤および／または充填物および／または鋳込材料によって安定させることができ、カバー２０とハウジング２との間の使用の緊密さ（use of tightness）を、結果的に高めることができる。
【００４１】
図６は、半径方向Ｒに作用しハウジング２の壁１６に対して作用する半径方向の力ＦＲが、ポジティブロック対合要素７を介してポジティブロック要素２３に伝達されることをさらに示す。この伝達は、これらが半径方向Ｒにおいて互いに重なり合っていることによる。半径方向の力ＦＲは結果として、カバー２０のカバー領域２１の中に導入され、これにより結果的に、ハウジング開口部５が安定するか、または、壁１６がカバー２０に対して半径方向Ｒに変位することもしくは開口部５が拡張されることが防止される。
【００４２】
図７は、図２に示す断面の線Ｃ−Ｃに沿った、スイッチ要素１の略断面斜視図である。図７では、カバー２０がハウジング２上に設置され、スイッチコンタクト・サブアセンブリ３０がスイッチチャンバ３内に位置付けられ、駆動デバイス４０がカバー２０上に設置された状態の、スイッチ要素１を示している。
駆動デバイス４０は、長手方向Ｘおよび横断方向Ｙによって画定される平面内に実質的に延在する、ヨーク４１を有する。２つの部材、４２ａ，４２ｂは、ヨーク４１から離れて延在する。駆動デバイス４０のヨーク４１から離れて面を向ける側で、部材４２ａ、部材４２ｂの間に、駆動デバイス４０の基部プレート４３が保持される。固定要素４５は、部材４２ａおよび部材４２ｂの自由な部材端部４４のところに形成され、これらの端部はスイッチ方向Ｓに向けられる。
【００４３】
固定要素４５は、実質的に垂直方向Ｚまたは軸方向Ａの反対方向に、すなわち自由端４４からスイッチ方向Ｓに離れるように延在し、ハウジング２の補助固定手段１１内に受容される。固定要素４５は、たとえば、ピン、マンドレル、またはペグとして構成される。またこの固定要素４５は、たとえば、歯部の形態の、多数の係合要素４６を有し得る。係合要素４６は、シャフト状の補助固定手段１１の壁内に係合し、結果的に補助固定手段１１と固定要素４５との間のポジティブロック接続および／または非ポジティブロック接続の改善の助けとなり得る。
カバー２０を、基部プレート４３の下方で基部プレート４４およびハウジング２の支持面３との間にある状態で、囲い込むことができる。基部プレート４３を、自由部材端部４４によって押し下げることができる。カバー２０を、結果的にハウジング２に固定することができる。
【００４４】
図８は、スイッチ要素１の詳細な概略側面図であり、カバー２０がハウジング２と基部プレート４３との間にどのように囲い込まれるかを示している。これは、自由部材端部４４が、カバー２０の上側面２８と平面的に当接している基部プレート４３を押し下げてカバーが軸方向Ａに膨出することを結果的に防止することを示す。カバー２０に対して軸方向Ａに作用する軸方向の力ＦＡを、基部プレート４３、自由部材端部４４、部材４２ａ，４２ｂ、および固定要素４５を介して、ハウジング２の補助固定手段１１の中に、結果的に導入することができる。結果として、スイッチ要素１は、コンパクトで強固な構造を有する。この構造においては、いずれもカバー２０に対しておよびハウジング２に対して作用する半径方向の力ＦＲおよび軸方向の力ＦＡを、ハウジング２またはカバー２０が変形されることなく、高い信頼性で吸収することができ、この場合、スイッチチャンバ３の高レベルの封止が保証される。
【００４５】
本発明の概念の文脈では、上記の実施形態からの逸脱が可能である。本発明によるスイッチ要素１はこのように、それぞれの要件に従って構成されるとともに、自由に形成された任意の数のスイッチチャンバ３、スイッチコンタクト４、開口部５、縁部６、スイッチ対合コンタクト要素７、丸みを帯びた角部８、正面側９、ハウジング角部１０、補助固定手段１１、膨出部１２、支持面１３、補助案内手段１４、通路１５、および基部１７を有する、ハウジング２を有し得る。ポジティブロック対合要素７は、それぞれの要件に従って、基部７ａ、側壁７ｂ、上側部分７ｃ、および下側部分７ｄを有することができる。これらは、カバー２０のポジティブロック要素２３またはその自由端２３ａ、ビード２３ｂ、傾斜した導入部材２３ｃ、終端縁部２３ｄ、およびリブ輪郭部２３ｅと協働し、またこの例では、それぞれの要件に従って上側自由空間１８および／または下側自由空間１９を形成するように、構成され得る。
【００４６】
カバー２０は、それぞれの要件に従って構成されるカバー領域２１または蓋、外側縁部２２、任意の数のポジティブロック要素２３、案内要素２４、追加の案内要素２５，２５’、枠２６、通路２７、および上側カバー面２８を有し得る。案内要素２４，２５，２５’は、それぞれの要件に従って、第１の案内面２５ａおよび第２の案内面２５を形成することができる。
【００４７】
スイッチコンタクト・サブアセンブリ３０には、それぞれの要件に従って構成される、任意の数のスイッチコンタクトキャリア３１、シャフト３２、スイッチコンタクト腕部３３ａ，３３ｂ、スイッチ対合コンタクト３４、コンタクトブリッジキャリア３５、弾性要素３６、固定用基部３７、固定用部材３８、および環状鍔部３９を設けることができる。
【００４８】
保持部材３５ａ，３５ｂを、案内面２５ａ，２５ｂと協働するように、それぞれの要件に従って構成することができる。
【００４９】
駆動デバイス４０には、それぞれの要件に従って構成された、任意の数のヨーク４１、部材基部プレート４３、自由部材端部４４、固定要素４５、および係合要素４６を設けることができる。
【符号の説明】
【００５０】
１  スイッチ要素
２  ハウジング
３  スイッチチャンバ
４  スイッチコンタクト
５  開口部
６  縁部
７  ポジティブロック対合要素
７ａ  基部
７ｂ  側壁
７ｃ  上側部分
７ｄ  下側部分
８  丸みを帯びた角部
９  正面側
１０  ハウジング角部
１１  補助固定手段
１２  膨出部
１３  支持面
１４  補助案内手段
１５  通路
１６  壁
１７  基部
１８  上側自由空間
１９  下側自由空間
２０  カバー
２１  蓋／カバー領域
２２  外側縁部
２３  ポジティブロック要素
２３ａ  ポジティブロック要素の自由端
２３ｂ  ポジティブロック要素のビード
２３ｃ  ポジティブロック要素の傾斜した導入部材
２３ｄ  ポジティブロック要素の終端縁部
２３ｅ  ポジティブロック要素の狭いリブ輪郭部
２４  案内要素
２５、２５’  追加の案内要素
２５ａ  第１の案内面
２５ｂ  第２の案内面
２６  枠
２７  通路
２８  上側カバー面
３０  スイッチコンタクト・サブアセンブリ
３１  スイッチコンタクトキャリア
３２  シャフト
３３ａ、３３ｂ  スイッチコンタクト腕部
３４  スイッチ対合コンタクト
３５  コンタクトブリッジキャリア
３５ａ  保持部材
３５ｂ  保持部材
３６  弾性要素
３７  固定用基部
３８  作動部材
３９  環状鍔部
４０  駆動デバイス
４１  ヨーク
４２ａ  部材
４２ｂ  部材
４３  基部プレート
４４  自由部材端部
４５  固定要素
４６  係合要素
Ａ  軸方向
Ｒ  半径方向
Ｓ  スイッチ方向
ＦＳ  スイッチ力
ＦＲ  半径方向の力
ＦＡ  軸方向の力
Ｌ  長手軸
Ｍ  中心位置
Ｏ  開放状態
Ｃ  閉鎖状態
Ｘ  長手方向
Ｙ  横断方向
Ｚ  垂直方向
【図１】
0006419163.tif 000002
【図２】
0006419163.tif 000003
【図３】
0006419163.tif 000004
【図４】
0006419163.tif 000005
【図５】
0006419163.tif 000006
【図６】
0006419163.tif 000007
【図７】
0006419163.tif 000008
【図８】
0006419163.tif 000009